(57)【要約】【課題】メインＣＰＵが動作しない待機状態であっても簡易な操作で外部装置の制御を行い得る状態となる投射装置等を提供する。【解決手段】自装置を統括制御すると共に当該自装置に接続された外部装置Ｄを制御するメインＣＰＵ５１と、当該メインＣＰＵの制御を補助すると共に当該メインＣＰＵよりも消費電力が低いサブＣＰＵ５２と、画像を投射する投射ランプ３１と、外部装置が接続される接続部２０と、を有し、投射ランプが消灯状態であると共にサブＣＰＵのみが動作している低消費電力待機状態と、メインＣＰＵおよびサブＣＰＵが動作しているダブルＣＰＵ動作状態と、の間で状態遷移するプロジェクタ１において、サブＣＰＵは、低消費電力待機状態において、接続部への外部装置の接続を検出したとき、低消費電力待機状態からダブルＣＰＵ動作状態に状態遷移させるものである。【選択図】図１
2007219164.tif 000002
【特許請求の範囲】
【請求項１】
自装置を統括制御すると共に当該自装置に接続された外部装置を制御するメインＣＰＵと、
前記メインＣＰＵの制御を補助すると共に当該メインＣＰＵよりも消費電力が低いサブＣＰＵと、
画像を投射する投射ランプと、
前記外部装置が接続される接続部と、を有し、
前記投射ランプが消灯状態であると共に前記サブＣＰＵのみが動作している低消費電力待機状態と、前記メインＣＰＵおよび前記サブＣＰＵが動作しているダブルＣＰＵ動作状態と、の間で状態遷移する投射装置において、
前記サブＣＰＵは、前記低消費電力待機状態において、前記接続部への前記外部装置の接続を検出したとき、前記低消費電力待機状態から前記ダブルＣＰＵ動作状態に状態遷移させることを特徴とする投射装置。
【請求項２】
前記ダブルＣＰＵ動作状態は、前記投射ランプが消灯状態であるメインＣＰＵ動作待機状態と、前記投射ランプが点灯状態である通常状態と、から成り、
前記低消費電力待機状態から前記ダブルＣＰＵ動作状態に状態遷移する際に、前記メインＣＰＵ動作待機状態と前記通常状態のどちらに遷移させるかを設定するためのユーザ操作部をさらに有し、
前記サブＣＰＵは、前記低消費電力待機状態において、前記接続部への前記外部装置の接続を検出したとき、前記ユーザ操作部による設定に応じて状態遷移させることを特徴とする請求項１に記載の投射装置。
【請求項３】
前記サブＣＰＵは、前記メインＣＰＵ動作待機状態において、前記接続部からの前記外部装置の切断を検出したとき、当該外部装置の切断を前記メインＣＰＵに通知すると共に、前記メインＣＰＵ動作待機状態から前記低消費電力待機状態に状態遷移させることを特徴とする請求項２に記載の投射装置。
【請求項４】
前記ユーザ操作部は、前記低消費電力待機状態または前記メインＣＰＵ動作待機状態と、前記通常状態との間で状態遷移させるためのパワーＯＮ／ＯＦＦ操作をさらに実行可能であり、
前記サブＣＰＵは、前記通常状態において、前記ユーザ操作部によりパワーＯＦＦされたとき、前記通常状態から前記低消費電力待機状態に状態遷移させることを特徴とする請求項２または３に記載の投射装置。
【請求項５】
前記サブＣＰＵによる状態遷移、および／または遷移後の状態を報知する報知部をさらに有することを特徴とする請求項１ないし４のいずれか１項に記載の投射装置。
【請求項６】
コンピュータを、請求項１ないし５のいずれか１項に記載の投射装置における前記メインＣＰＵおよび／または前記サブＣＰＵとして機能させるためのプログラム。
【発明の詳細な説明】
【技術分野】
【０００１】
本発明は、自装置を統括制御すると共に当該自装置に接続された外部装置を制御するメインＣＰＵと、メインＣＰＵの制御を補助すると共に当該メインＣＰＵよりも消費電力が低いサブＣＰＵと、により制御される投射装置およびプログラムに関するものである。
【背景技術】
【０００２】
従来、画像をスクリーンに投射するプロジェクタ（投射装置）において、省エネ等の観点から、待機状態（スタンバイ状態）における消費電力の削減が望まれている（例えば、特許文献１は、待機状態における消費電力の増加に伴う温度上昇の抑止が課題となっている）。そこで、図６に示すように、プロジェクタ１００を統括制御するメインＣＰＵ１５１とは別に、これを補助制御するためのサブＣＰＵ１５２を搭載し、待機状態においては消費電力の低いサブＣＰＵ１５２のみを動作させるものが知られている。これにより、装置制御に支障をきたすことなく、待機状態での消費電力を格段に削減可能となっている。
【特許文献１】特開２００４−１３３１０６号公報（「従来の技術」等）
【発明の開示】
【発明が解決しようとする課題】
【０００３】
ところが、上記のように、メインＣＰＵ１５１とサブＣＰＵ１５２とによって制御を行う場合、外部装置ＤはメインＣＰＵ１５１に接続されているため（図６参照）、当該メインＣＰＵ１５１が動作していない待機状態においては、外部装置Ｄの制御（例えば、外部装置Ｄとの通信や外部装置Ｄによるリモート管理など）ができないといった問題があった。このため、待機状態において外部装置Ｄの制御を行うためには、パワーＯＮ操作によって、一旦待機状態からメインＣＰＵが動作する通常状態に遷移させる手間が必要であった。
【０００４】
本発明は、このような問題点に鑑み、メインＣＰＵが動作しない待機状態であっても簡易な操作で外部装置の制御を行い得る状態となる投射装置およびプログラムを提供することを目的とする。
【課題を解決するための手段】
【０００５】
本発明の投射装置は、自装置を統括制御すると共に当該自装置に接続された外部装置を制御するメインＣＰＵと、メインＣＰＵの制御を補助すると共に当該メインＣＰＵよりも消費電力が低いサブＣＰＵと、画像を投射する投射ランプと、外部装置が接続される接続部と、を有し、投射ランプが消灯状態であると共にサブＣＰＵのみが動作している低消費電力待機状態と、メインＣＰＵおよびサブＣＰＵが動作しているダブルＣＰＵ動作状態と、の間で状態遷移する投射装置において、サブＣＰＵは、低消費電力待機状態において、接続部への外部装置の接続を検出したとき、低消費電力待機状態からダブルＣＰＵ動作状態に状態遷移させることを特徴とする。
【０００６】
この構成によれば、サブＣＰＵは、メインＣＰＵが動作しない低消費電力待機状態において接続部に外部装置が接続されると、低消費電力待機状態からダブルＣＰＵ動作状態に状態遷移させるため、外部装置を接続させるだけで当該外部装置の制御を行い得る状態に遷移できる。つまり、外部装置を接続するのは、外部装置の制御を行う場合と考えられるので、低消費電力待機状態であっても特別な操作を必要とすることなく、外部装置の制御を行い得る状態に遷移できる。なお、外部装置が予め投射装置に接続されている場合は、一旦外部装置を切断して再接続することで、ダブルＣＰＵ動作状態に状態遷移させることが可能である。
【０００７】
上記の投射装置において、ダブルＣＰＵ動作状態は、投射ランプが消灯状態であるメインＣＰＵ動作待機状態と、投射ランプが点灯状態である通常状態と、から成り、低消費電力待機状態からダブルＣＰＵ動作状態に状態遷移する際に、メインＣＰＵ動作待機状態と通常状態のどちらに遷移させるかを設定するためのユーザ操作部をさらに有し、サブＣＰＵは、低消費電力待機状態において、接続部への外部装置の接続を検出したとき、ユーザ操作部による設定に応じて状態遷移させることが好ましい。
【０００８】
この構成によれば、ユーザのニーズや投射装置の使用環境に応じて、外部装置の接続検出に伴い、投射ランプが消灯状態であるメインＣＰＵ動作待機状態と、投射ランプが点灯状態である通常状態との、いずれかに遷移させるかを設定（選択）することができる。なお、メインＣＰＵ動作待機状態は外部装置の制御を主として行いたい場合に、また通常状態は外部装置の制御以外にも実行したい処理がある場合に、設定されるものである。
【０００９】
上記の投射装置において、サブＣＰＵは、メインＣＰＵ動作待機状態において、接続部からの外部装置の切断を検出したとき、当該外部装置の切断をメインＣＰＵに通知すると共に、メインＣＰＵ動作待機状態から低消費電力待機状態に状態遷移させることが好ましい。
【００１０】
この構成によれば、サブＣＰＵは、メインＣＰＵが動作しているメインＣＰＵ動作待機状態において外部装置が切断されると、メインＣＰＵ動作待機状態から低消費電力待機状態に状態遷移させるため、外部装置の接続と逆の操作で元の状態に戻すことができ、操作が分かり易い。また、必要のあるときだけ外部装置を接続して使用する場合は、使用後に外部装置を切断することが想定できるため、低消費電力待機状態に戻すために特別な操作を必要としないといった利点もある。さらに、サブＣＰＵは、外部装置の切断をメインＣＰＵに通知するため、メインＣＰＵによる制御に支障をきたすことがない。
【００１１】
上記の投射装置において、ユーザ操作部は、低消費電力待機状態またはメインＣＰＵ動作待機状態と、通常状態との間で状態遷移させるためのパワーＯＮ／ＯＦＦ操作をさらに実行可能であり、サブＣＰＵは、通常状態において、ユーザ操作部によりパワーＯＦＦされたとき、通常状態から低消費電力待機状態に状態遷移させることが好ましい。
【００１２】
この構成によれば、サブＣＰＵは、通常状態においてユーザによりパワーＯＦＦされた場合、通常状態から、低消費電力待機状態に状態遷移させるため、操作が分かり易い。つまり、パワーＯＦＦさせる場合は、メインＣＰＵ動作待機状態ではなくメインＣＰＵが動作しない低消費電力待機状態に状態遷移させることが一般的であるため、メインＣＰＵ動作待機状態からのパワーＯＮに伴って通常状態に状態遷移した場合も、直接低消費電力待機状態に状態遷移させることで、操作性が向上する。
【００１３】
上記の投射装置において、サブＣＰＵによる状態遷移、および／または遷移後の状態を報知する報知部をさらに有することが好ましい。
【００１４】
この構成によれば、報知部により、状態遷移したこと、および／または現在の状態をユーザが確認できるため、使い勝手が良い。なお、「報知部」とは、ＬＥＤによる報知、ブザー等の電子音による報知など、人間の視覚や聴覚によって認識可能な伝達方法を指すものである。
【００１５】
本発明のプログラムは、コンピュータを、上記の投射装置におけるメインＣＰＵおよび／またはサブＣＰＵとして機能させるためのものであることを特徴とする。
【００１６】
このプログラムを実行することにより、メインＣＰＵが動作しない待機状態であっても簡易な操作で外部装置の制御を行い得る状態となる投射装置を実現することができる。
【発明を実施するための最良の形態】
【００１７】
以下、本発明の一実施形態に係る投射装置およびプログラムについて、添付図面を参照しながら詳細に説明する。本発明の投射装置（プロジェクタ）は、メインＣＰＵとサブＣＰＵとによって制御されるものであり、サブＣＰＵが、外部装置の接続検出に伴って、メインＣＰＵが動作しない「低消費電力待機状態」から両ＣＰＵが動作する「ダブルＣＰＵ動作状態」に状態遷移させることにより、「低消費電力待機状態」であっても特別な操作を必要とすることなく、外部装置の制御を行い得る状態に遷移できるものである。
【００１８】
図１は、本実施形態に係るプロジェクタ１のシステム構成図である。同図に示すようにプロジェクタ１は、ユーザにより各種操作が行われるユーザ操作部１０と、外部装置Ｄ（Ｄ１，Ｄ２，Ｄ３）と接続される接続部２０と、画像（映像）を投射する投射部３０と、ユーザに対して各種報知を行う報知部４０と、これら各部を制御する制御部５０と、を備えている。
【００１９】
ユーザ操作部１０は、リモコンやパネルキーによって構成されるものであり、サブＣＰＵ５２に対して信号を入力する。また、ＡＣ電源のＯＮ／ＯＦＦ操作（抜き差し操作）や、「待機状態（スタンバイ状態）」と「通常状態」との間で状態遷移させるためのパワーＯＮ／ＯＦＦ操作を実行可能である。さらに、外部装置Ｄの接続検出に伴う動作設定も可能となっている（図４参照）。
【００２０】
接続部２０は、ＵＳＢケーブルを介して外部装置Ｄ１と接続されるＵＳＢコネクタ２１と、ネットワークケーブルを介して外部装置Ｄ２と接続されるＲＪ４５コネクタ２２と、外部装置Ｄ３（システム機器）と接続されるシステム機器コネクタ２３と、を有している。なお、ここでは３種類のコネクタを例示したが、これらの種類に限定されるものではない。また、コネクタ数も任意である。
【００２１】
投射部３０は、画像を投射する投射ランプ（液晶ライトバルブ）３１と、投射ランプ３１からの投射光（画像）をスクリーン３３上に拡大投射する投射レンズ３２と、を有している。なお、照明光学系および画像信号処理系も投射部３０に含まれるが、これらについては図示および説明を省略する。
【００２２】
報知部４０は、プロジェクタ１の遷移状態を表示するＬＥＤ４１と、状態遷移の開始時および終了時に、状態遷移が開始した旨、および終了した旨を電子音により報知するブザー４２と、を有し、サブＣＰＵ５２により制御される。ＬＥＤ４１は、遷移状態毎に３つの窓が設けられ（「低消費電力待機状態」用、「メインＣＰＵ動作待機状態」用、「通常状態」用，いずれも図２参照）、各状態に対応する窓が点灯する。なお、「非電源供給状態」においては、全ての窓が消灯する。一方、ブザー４２は、「非電源供給状態」に遷移終了したとき以外の遷移開始時および遷移終了時に電子音を発生するが、遷移前または遷移後の状態に応じて、電子音を変化させることも可能である。
【００２３】
制御部５０は、プロジェクタ（自装置）１を統括制御するメインＣＰＵ５１と、当該メインＣＰＵ５１の制御を補助するサブＣＰＵ５２と、接続部２０への（各種ケーブルの）接続／切断を検出する検出回路５３と、プロジェクタ１を制御するための各種設定値（図５参照）を記憶する外部記憶媒体５４と、を有している。
【００２４】
メインＣＰＵ５１は、サブＣＰＵ５２、ＵＳＢコネクタ２１、ＲＪ４５コネクタ２２およびシステム機器コネクタ２３と、それぞれ信号の入出力を行うバスコントローラ６０、ＵＳＢコントローラ６１、ネットワークコントローラ６２およびバスコントローラ６３を有している。すなわち、メインＣＰＵ５１は、システムバス８０を介してサブＣＰＵ５２とバス接続されおり、サブＣＰＵ５２と協働してプロジェクタ１全体を制御する。また、その他のコントローラ６１，６２，６３により、外部装置Ｄの制御を行う。なお、外部装置Ｄとしては、プロジェクタ１に対して画像データや各種コマンドを送信するコンピュータ、プロジェクタ１のリモート管理を行う管理装置、複数台のプロジェクタを用いて連続する画像を表示させる場合などに用いられる他のプロジェクタ等が挙げられる。したがって、「外部装置の制御」とは、具体的には外部装置Ｄとの通信や外部装置Ｄによるリモート管理などを指す。
【００２５】
サブＣＰＵ５２は、メインＣＰＵ５１および外部記憶媒体５４と、それぞれ信号の入出力を行う２つのバスコントローラ７０，７１と、３つのＧＰＩＯ（汎用Ｉ／Ｏポート）７２を有している。バスコントローラ７０は、電源制御をはじめとしたメインＣＰＵ５１の補助制御を行う。また、ＧＰＩＯ７２は、検出回路５３と接続され、外部装置Ｄの接続／切断を検出する。そして、この検出結果に基づいて、サブＣＰＵ５２が、各状態間における状態遷移制御を行う。
【００２６】
また、バスコントローラ７１は、外部記憶媒体５４から設定値を読み出し、その読み出し結果に応じて、サブＣＰＵ５２が、上記の検出回路５３による外部装置Ｄの接続／切断検出、外部装置Ｄの接続検出時における動作の決定、外部装置Ｄの接続／切断検出時のメインＣＰＵ５１への通知等を制御する（図５参照）。
【００２７】
なお、サブＣＰＵ５２は、メインＣＰＵ５１よりも消費電力が低くなるように構成されている。これは、常時電源投入されている場合に、「待機状態」で可能な限り省電力を実現するためである。したがって、「通常状態」からパワーＯＦＦされると、メインＣＰＵ５１が動作しない（サブＣＰＵ５２のみが動作する）「低消費電力待機状態」に遷移する（本実施形態のプロジェクタ１は、「低消費電力待機状態」と「メインＣＰＵ動作待機状態」との２つの待機状態が存在するが、より省電力の「低消費電力待機状態」に遷移する，図３参照）。
【００２８】
次に、図２および図３を参照し、プロジェクタ１の状態遷移について説明する。上記のとおり、プロジェクタ１は、「非電源供給状態」、「低消費電力待機状態」、「メインＣＰＵ動作待機状態」および「通常状態」といった４つの状態間で遷移する。図２は、各状態の詳細について示したものである。
【００２９】
「非電源供給状態」とは、プロジェクタ１にＡＣ電源が供給されていない状態であって、メインＣＰＵ５１およびサブＣＰＵ５２は停止し、投射ランプ３１も消灯している状態を指す。また、「低消費電力待機状態」とは、プロジェクタ１のパワーＯＮ受付待ち状態であって、サブＣＰＵ５２のみ動作し、投射ランプ３１は消灯している状態を指す。また、「メインＣＰＵ動作待機状態」とは、「低消費電力待機状態」と同様にプロジェクタ１のパワーＯＮ受付待ち状態を指すが、メインＣＰＵ５１が動作している点で異なる。また、「通常状態」とは、メインＣＰＵ５１およびサブＣＰＵ５２が動作し、投射ランプ３１も点灯している状態を指す。
【００３０】
なお、図３の一点鎖線部に示すように、「低消費電力待機状態」および「メインＣＰＵ動作待機状態」を、まとめて「待機状態」と称する。「待機状態」とは、少なくともサブＣＰＵ５２が動作するパワーＯＮ受付待ち状態であって、投射ランプ３１は消灯している状態を指す。また、図３の点線部に示すように、「メインＣＰＵ動作待機状態」および「通常状態」を、まとめて「ダブルＣＰＵ動作状態」と称する。「ダブルＣＰＵ動作状態」は、メインＣＰＵ５１およびサブＣＰＵ５２の両ＣＰＵが動作している状態を指す。
【００３１】
ここで、サブＣＰＵ５２による状態遷移制御のトリガについて説明する。なお、上記のとおり、状態遷移の開始時および終了時には、ブザー４２により電子音が発生されると共に、遷移後の状態がＬＥＤ４１によって表示されるが、これらの説明については以下省略する。
【００３２】
図３に示すように、「非電源供給状態」において、ＡＣ電源がＯＮされると（プロジェクタ１本体のコンセントが挿入されると）、「低消費電力待機状態」に遷移する。また、特に図示しないが、「非電源供給状態」以外の状態において、ＡＣ電源がＯＦＦされると（プロジェクタ１本体のコンセントが抜かれると）、「非電源供給状態」に遷移する。
【００３３】
また、「低消費電力待機状態」において、接続部２０（コネクタ２１，２２，２３のいずれか）へのケーブル接続（外部装置Ｄの接続）が検出されると、「メインＣＰＵ動作待機状態」または「通常状態」のいずれかに遷移する。どちらの状態に遷移するかは、ユーザの設定に基づく（設定方法については、図４を参照して後述する）。このように、「低消費電力待機状態」における外部装置Ｄの検出に伴って「ダブルＣＰＵ動作状態」または「通常状態」のいずれかに遷移することで、メインＣＰＵ５１が動作状態となるため、ユーザは外部装置Ｄを接続するだけの簡単な操作で、外部装置Ｄの制御（外部装置Ｄとの通信など）を行い得る状態にプロジェクタ１を遷移させることが可能となる。
【００３４】
一方、「メインＣＰＵ動作待機状態」において、接続部２０からのケーブル切断（外部装置Ｄの切断）が検出されると、「低消費電力待機状態」に遷移する。すなわち、外部装置Ｄを切断するだけの簡単な操作で、消費電力の低い「低消費電力待機状態」に戻すことができる。また、外部装置Ｄの接続／切断によって、「低消費電力待機状態」と「メインＣＰＵ動作待機状態」との間を状態遷移させることができるため、操作が分かり易いといった利点もある。なお、サブＣＰＵ５２は、外部装置Ｄの切断を検出すると、その旨をメインＣＰＵ５１に通知する。これにより、メインＣＰＵ５１による制御に支障をきたすことがない。
【００３５】
また、「待機状態」（「低消費電力待機状態」または「メインＣＰＵ動作待機状態」のいずれか）において、ユーザ操作部１０によりパワーＯＮされると、「通常状態」に遷移する。これは、一般的な制御である。
【００３６】
また、逆に「通常状態」において、ユーザ操作部１０によりパワーＯＦＦされた場合は、「低消費電力待機状態」に遷移する。これは、パワーＯＦＦさせる場合、メインＣＰＵ５１が動作しない「低消費電力待機状態」に状態遷移させることが一般的であると考えられるためである。つまり、仮に「メインＣＰＵ動作待機状態」からのパワーＯＮに伴って「通常状態」に状態遷移したような場合も、「メインＣＰＵ動作待機状態」を経由することなく、直接「低消費電力待機状態」に状態遷移させることで、操作性を向上するためである。
【００３７】
このように、本実施形態のプロジェクタ１は、全てサブＣＰＵ５１により、外部装置Ｄの接続／切断検出、またはユーザ操作部１０による操作をトリガとして、各状態間の遷移制御が行われるようになっている。特に、外部装置Ｄの接続検出をトリガとして、メインＣＰＵ５１の動作状態に遷移させるため、「低消費電力待機状態」において、外部装置Ｄを使用したい場合であっても、当該外部装置Ｄを接続するだけで、容易に使用可能な状態とすることができる。
【００３８】
次に、図４を参照し、「低消費電力待機状態」から「ダブルＣＰＵ動作状態」への動作設定について説明する。同図は、ユーザが、ユーザ操作部１０（リモコンやパネルキー）を用いて動作設定をおこなうためのＯＳＤ画面２００（スクリーン３３上に表示される画面）を示したものである。ここでは、接続部２０に属するコネクタ２１，２２，２３毎に、動作設定を行い得るようになっている。
【００３９】
例えば、「Ａ．ＵＳＢコネクタの接続検出」の欄では、「低消費電力待機状態」において、ＵＳＢコネクタ２１にケーブル接続されたとき、「メインＣＰＵ動作待機状態」と「通常状態」とのどちらに遷移するかを、ラジオボタン９１のＯＮ／ＯＦＦにより設定することができる。また、「Ｂ．ＲＪ４５コネクタの接続検出」欄および「Ｃ．システム機器コネクタの接続検出」でも、同様に、ＲＪ４５コネクタ２２にケーブル接続されたとき、およびシステム機器コネクタ２３にケーブル接続されたときの動作設定を、それぞれラジオボタン９１，９２により設定可能となっている。
【００４０】
なお、「メインＣＰＵ動作待機状態」への遷移は、外部装置Ｄの制御を主として行いたい場合に、また「通常状態」への遷移は、外部装置Ｄの制御以外にも実行したい処理がある場合に、それぞれ設定されるものである。
【００４１】
また、ＯＳＤ画面２００において設定された設定値は、外部記憶媒体５４（図１参照）に格納される。図５は、その設定値を示したものである。例えば、図４に示した通りに接続検出時の動作設定が行われた場合、図５の「接続検出時の動作」欄９６に示すとおり、コネクタ２１，２２，２３毎に、「低消費電力待機状態」からの遷移先が設定される。
【００４２】
なお、外部記憶媒体５４には、「接続検出時の動作」以外にも、外部装置Ｄの接続／切断検出を行うか否か（「接続／切断検出」欄９５）、外部装置Ｄの接続／切断検出時にメインＣＰＵ５１に通知するか否か（「接続／切断検出時のメインＣＰＵへの通知」欄９７）についての設定値も記憶されている。例えば、同図に示すように設定値が記憶されている場合、全てのコネクタ２１，２２，２３への外部装置Ｄの接続／切断検出を行うと共に、ＵＳＢコネクタ２１およびＲＪ４５コネクタ２２への外部装置Ｄの接続／切断検出時にはメインＣＰＵ５１に通知する制御を行う（システム機器コネクタ２３への外部装置Ｄの接続／切断検出時にはメインＣＰＵ５１に通知しない）。
【００４３】
但し、「メインＣＰＵ動作待機状態」から外部装置Ｄの検出に伴って「低消費電力待機状態」に遷移する場合は、上記の設定値に依らずメインＣＰＵ５１への通知は行われる。また、「接続／切断検出」欄９５において「無」と設定されているコネクタについては、そのコネクタへの接続／切断検出に伴って「待機状態」と「ダブルＣＰＵ動作状態」間の状態遷移も実行されない。
【００４４】
なお、これらの設定値については、固定動作として（製品毎に決められた値として）出荷時に書き込むようにしても良いし、図４に示したようにＯＳＤ画面２００によってユーザが設定できるようにしても良い。
【００４５】
以上、説明したとおり、本実施形態によれば、サブＣＰＵ５２は、メインＣＰＵ５１が動作しない「低消費電力待機状態」において、接続部２０への外部装置Ｄの接続を検出すると、「低消費電力待機状態」から「ダブルＣＰＵ動作状態」にプロジェクタ１のシステム状態を遷移させるため、外部装置Ｄを接続させるだけで当該外部装置Ｄの制御を行い得る状態に遷移できる。つまり、外部装置Ｄを接続するのは、外部装置Ｄの制御を行う場合と考えられるので、「低消費電力待機状態」であっても特別な操作を必要とすることなく、外部装置Ｄの制御を行い得る状態に遷移できる。
【００４６】
また、逆に、サブＣＰＵ５２は、メインＣＰＵ５１が動作している「メインＣＰＵ動作待機状態」において、外部装置Ｄの切断を検出すると、「メインＣＰＵ動作待機状態」から「低消費電力待機状態」に状態遷移させるため、簡易な操作で元の状態に戻すことができる。つまり、必要のあるときだけ外部装置Ｄを接続して使用する場合は、使用後に外部装置Ｄを切断するため、この場合も特別な操作を必要とすることなく「低消費電力待機状態」に戻すことができる。
【００４７】
また、報知部４０による報知（ＬＥＤ４１やブザー４２）により、状態遷移したこと、および／または現在の状態をユーザが確認できるため、使い勝手が良い。
【００４８】
なお、報知方法としては、ＬＥＤ４１やブザー４２による報知に限らず、スクリーン３３上に表示したり、接続部２０に接続されたコンピュータ（外部装置Ｄ）の表示画面上にこれらを表示したりすることで報知を行っても良い。
【００４９】
また、上記の例では、接続部２０は、メインＣＰＵ５１に接続された構成となっているが（図１参照）、サブＣＰＵ５２と接続された構成としても良い。この場合、サブＣＰＵ５２は、接続部２０からの入力信号を、システムバス８０を介してメインＣＰＵ５１に入力することとなる。
【００５０】
また、上記の例に示した、プロジェクタ１の各部（特に、メインＣＰＵ５１およびサブＣＰＵ５２の機能）をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００５１】
また、上述した実施例によらず、プロジェクタ１の装置構成や処理工程等について、本発明の要旨を逸脱しない範囲で、適宜変更も可能である。また、プロジェクタ１以外にも、メインＣＰＵとサブＣＰＵから成るＩＣ構成を有し、状態遷移を行う装置であれば、本発明を適用可能である。また、サブＣＰＵを複数有するＩＣ構成であっても良い。
【図面の簡単な説明】
【００５２】
【図１】本発明の一実施形態に係るプロジェクタのシステム構成図である。
【図２】プロジェクタの各状態の詳細について説明するための図である。
【図３】プロジェクタの状態遷移図である。
【図４】接続検出時の動作設定を行う画面を示す図である。
【図５】外部記憶媒体に記憶されている設定値を示す図である。
【図６】背景技術を説明するための図である。
【符号の説明】
【００５３】
１：プロジェクタ，１０：ユーザ操作部，２０：接続部，３０：投射部，４０：報知部，５０：制御部，５１：メインＣＰＵ，５２：サブＣＰＵ，５３：検出回路，５４：外部記憶媒体，Ｄ：外部装置
【図１】
2007219164.tif 000003
【図２】
2007219164.tif 000004
【図３】
2007219164.tif 000005
【図４】
2007219164.tif 000006
【図５】
2007219164.tif 000007
【図６】
2007219164.tif 000008